(57)【要約】【課題】  比較的簡単に患者個人の処方データ履歴を再現できるとともに、紛失や持参忘れの虞が少なく、紛失した場合や持参忘れの場合でも処方データ履歴の再生が可能な処方データ管理システムの実現を目的とする。【解決手段】  患者に処方された薬の処方データ履歴を記憶するとともに、非接触ＩＣカードを搭載し、これを用いて薬の処方データを取得する携帯通信端末１０と、非接触ＩＣカードリードライト機能を備えた処方データ送受信装置２０と、処方データを発行する処方データ発行装置４０と、患者別に処方データ履歴を記憶管理する処方データ管理装置３０と、ネットワーク６０とを備え、処方データ発行装置４０が発行した処方データを処方データ送受信装置２０を介して携帯通信端末１０に送られるとともに、処方データ管理装置３０にも送られ処方データ履歴を更新して管理することを特徴とする。【選択図】  図１
2009259004.tif 000002
【特許請求の範囲】
【請求項１】
患者である利用者を識別する患者識別情報と過去に前記患者に処方された薬の処方データ履歴とを記憶手段に記憶するとともに、非接触ＩＣカードを搭載し、この非接触ＩＣカードを用いて薬の処方データを取得し前記患者識別情報と前記処方データ履歴とを出力する携帯通信端末と、
非接触ＩＣカードリードライト機能を備えて前記携帯通信端末と通信可能な処方データ送受信装置と、
前記処方データを発行する処方データ発行装置と、
前記患者別に前記処方データ履歴を記憶管理する主データベースを備えた処方データ管理装置と、
これらの端末および各装置を結んで相互の通信を可能にするネットワークとを備えて構成され、
前記処方データ発行装置は発行した前記処方データを前記処方データ送受信装置を介して前記携帯通信端末に送って前記記憶手段に記憶された前記処方データ履歴を更新するとともに、前記処方データ管理装置の前記主データベースに記憶された前記処方データ履歴も同様に更新して前記処方データ履歴を記録管理することを特徴とする処方データ管理システム。
【請求項２】
前記処方データおよび／または前記処方データ履歴を表示する処方データ表示装置をさらに備えたことを特徴とする請求項１に記載の処方データ管理システム。
【請求項３】
薬局に設けられ、前記処方データ送受信装置と、前記処方データ発行装置と、前記処方データ表示装置のそれぞれの機能を備えた薬局処方処理サーバ装置に、前記処方データ送受信装置と、前記処方データ発行装置と、前記処方データ表示装置を置き換えて構成することを特徴とする請求項２に記載の処方データ管理システム。
【請求項４】
患者である利用者を識別する患者識別情報と過去に前記患者に処方された薬の処方データ履歴とを記憶手段に記憶するとともに、内蔵カメラ装置を用いて２次元コードを読み取る２次元コード読取り機能を備え、この２次元コード読取り機能を用いて薬の処方データを取得する携帯通信端末と、
前記２次元コードを表示して前記携帯通信端末に読み取らせる処方データ送受信装置と、
前記処方データを発行する処方データ発行装置と、
前記処方データ発行装置が発行した前記処方データを２次元コードにして印字する処方データ出力装置と、
前記患者別に前記処方データ履歴を記憶管理する主データベースを備えた処方データ管理装置と、
これらの端末および各装置を結んで相互の通信を可能にするネットワークとを備えて構成され、
前記処方データ発行装置は発行した前記処方データを前記処方データ送受信装置を介して前記携帯通信端末に送って前記記憶手段に記憶された前記処方データ履歴を更新するとともに、前記処方データ管理装置の前記主データベースに記憶された前記処方データ履歴も同様に更新して前記処方データ履歴を記録管理する処方データ管理システム。
【請求項５】
非接触ＩＣカードを備えるとともに患者に処方された薬の処方データ履歴を記憶する携帯通信端末と、この携帯通信端末と非接触ＩＣカードリードライト機能を用いて通信可能な処方データ送受信装置と、薬の処方データを発行する処方データ発行装置と、前記処方データや前記処方データ履歴を表示する処方データ表示装置と、患者別に前記処方データ履歴を記憶管理する主データベースを備えた処方データ管理装置と、これらを相互に接続するネットワークを備えた処方データ管理システムでの処方データ管理方法であって、
処方データ作成の参照となる処方データ履歴を非接触ＩＣカードを用いて前記処方データ送受信装置を介して前記携帯通信端末から読み出して前記処方データ表示装置に表示させる処方データ履歴読出し工程と、
前記処方データ発行装置によって処方データを作成発行する処方データ発行工程と、
発行した処方データを前記処方データ送受信装置を介して前記携帯通信端末に送信して前記処方データ履歴を更新する処方データ履歴更新工程と、
前記ネットワークを介して前記処方データ管理装置と通信して前記主データベースに記憶された前記処方データ履歴を前記携帯通信端末のそれと一致するように更新する主データベース更新工程とを備えたことを特徴とする処方データ管理方法。
【請求項６】
内蔵カメラ装置を用いて２次元コードを読み取る２次元コード読取り機能を備えるとともに患者に処方された薬の処方データ履歴を記憶する携帯通信端末と、この携帯通信端末と２次元コードを用いて通信可能な処方データ送受信装置と、薬の処方データを発行する処方データ発行装置と、前記処方データを２次元コードとして印字する処方データ出力装置と、患者別に前記処方データ履歴を記憶管理する主データベースを備えた処方データ管理装置と、これらを相互に接続するネットワークを備えた処方データ管理システムでの処方データ管理方法であって、
処方データ作成の参照となる処方データ履歴を前記携帯通信端末または前記処方データ管理装置と通信して読み出す処方データ履歴読出し工程と、
前記処方データ発行装置によって前記処方データを作成発行する処方データ発行工程と、
発行した前記処方データを前記処方データ出力装置を用いて２次元コードとする２次元コード化工程と、
２次元コード化された前記処方データを前記処方データ送受信装置を介して前記携帯通信端末に送信して前記処方データ履歴を更新する処方データ履歴更新工程と、
前記ネットワークを介して前記処方データ管理装置と通信して前記主データベースに記憶された前記処方データ履歴を前記携帯通信端末のそれと一致するように更新する主データベース更新工程とを備えたことを特徴とする処方データ管理方法。
【請求項７】
ネットワークに接続され相互に通信可能な非接触ＩＣカードを備えるとともに処方された薬の処方データ履歴を記憶する携帯通信端末と、患者別に前記処方データ履歴を記憶管理する主データベースを備えた処方データ管理装置と、薬局処方処理サーバ装置から構成される処方データ管理システムの薬局に設けられる薬局処方処理サーバ装置であって、
前記携帯通信端末と非接触ＩＣカードへのリードライト動作を用いて通信し前記処方データ履歴を読み取り、処方データを送信して前記処方データ履歴を更新する非接触ＩＣカードリードライト手段を備えた処方データ送受信部と、処方データを発行する処方データ発行部と、前記非接触ＩＣカードリードライト機能を用いて前記携帯通信端末から、あるいはネットワークを介して前記処方データ管理装置から読み取った前記処方データ履歴および／または前記処方データ発行機能が発行した処方データを表示する処方データ表示部と、前記処方データ発行部が発行した前記処方データを含めて前記処方データ管理装置の前記主データベースに記憶されている患者の前記処方データ履歴を更新する処方データ履歴更新部とを備えたことを特徴とする薬局処方処理サーバ装置。
【請求項８】
薬局に設けられるコンピュータを、
処方された薬の処方データ履歴を記憶する携帯通信端末の非接触ＩＣカードへのリードライト動作を用いて通信して前記処方データ履歴を読み取り、処方データを送信して前記処方データ履歴を更新する非接触ＩＣカードリードライト手段を備えた処方データ送受信部と、処方データを発行する処方データ発行部と、前記非接触ＩＣカードリードライト機能を用いて前記携帯通信端末から、あるいはネットワークを介して処方データ管理装置から読み取った前記処方データ履歴および／または前記処方データ発行部が発行した処方データを表示する処方データ表示部と、前記処方データ発行部が発行した前記処方データを含めて処方データ管理装置の主データベースに記憶されている患者の前記処方データ履歴を更新する処方データ履歴更新部として機能させることを特徴とするプログラム。
【発明の詳細な説明】
【技術分野】
【０００１】
本発明は、各個人の処方投薬履歴を記録する処方データ管理システム、処方データ管理方法、サーバ用プログラム、処方データ管理プログラムおよび処方データ管理サーバに関する。
【背景技術】
【０００２】
医薬分業に伴って、保険薬局には、患者に処方された薬剤の副作用や薬剤間の相互作用等を把握し、患者に重大な副作用が生じる可能性がある場合には、それを事前に医師に連絡することが求められる。従来用いられていた、いわゆるお薬手帳は、過去に患者に対して調剤された薬の情報を転記したり薬袋をファイルしたものであって、薬剤師は、患者が持参したお薬手帳を見ることにより、その患者の薬歴情報を知ることができる。
【０００３】
しかしながら、従来のお薬手帳では、患者が保険薬局に持参するのを忘れた場合や、複数の薬局を利用する場合など、記入漏れや薬袋のファイルし忘れを生じたり、手帳や薬袋が汚れや破損に弱く、紛失する懸念も多かった。一度、記入漏れや薬袋の紛失を生じるとお薬手帳の持つ効果がなくなってしまう。また、薬袋やお薬手帳がない場合は薬品の用法や効果などを確認することができないという問題もあった。
このような問題を解決するため、ＩＣカードを媒体にしたシステム（特許文献１〜３参照）や２次元コード読取装置を有する携帯電話端末で薬袋の２次元コードを読み取ってデータベースに記憶させるシステム（特許文献４参照）などが提案されている。
【０００４】
【特許文献１】特開２００４−７８８２５号公報
【特許文献２】特開２００５−２６６８６０号公報
【特許文献３】特開２００６−２８８４７３号公報
【特許文献４】特開２００７−７２８６号公報
【発明の開示】
【発明が解決しようとする課題】
【０００５】
上記した特許文献１等の方法は、ＩＣカードを病院、保険薬局、携帯端末の間で差し替えて用いるため、病院や薬局へ持参を忘れたり途中で紛失する虞があり、紛失した場合に過去に投薬された薬歴を示す処方データ履歴を再現できないという問題がある。また、特許文献４に示す方法では、患者や薬局が患者自身の処方データ履歴を閲覧するためには、Ｗｅｂサイトにアクセスしなければならないという問題があり、その分だけ手間が掛かるという問題がある。
【０００６】
本発明は、これらの問題を解決して、比較的簡単に患者個人の処方データ履歴を再現できるとともに、紛失や持参忘れの虞が少なく、紛失した場合や持参忘れの場合でも処方データ履歴の再生が可能な処方データ管理システムおよびこのシステムで用いられる処方データ管理方法、処方データ管理プログラムおよび処方データ管理サーバの実現を課題とする。
【課題を解決するための手段】
【０００７】
上記課題を解決するため、本発明にかかる処方データ管理システムは、患者である利用者を識別する患者識別情報と過去に前記患者に処方された薬の処方データ履歴とを記憶手段に記憶するとともに、非接触ＩＣカードを搭載し、この非接触ＩＣカードを用いて薬の処方データを取得し前記患者識別情報と前記処方データ履歴とを出力する携帯通信端末と、  非接触ＩＣカードリードライト機能を備えて前記携帯通信端末と通信可能な処方データ送受信装置と、前記処方データを発行する処方データ発行装置と、前記患者別に前記処方データ履歴を記憶管理する主データベースを備えた処方データ管理装置と、これらの端末および各装置を結んで相互の通信を可能にするネットワークとを備えて構成され、前記処方データ発行装置は発行した前記処方データを前記処方データ送受信装置を介して前記携帯通信端末に送って前記記憶手段に記憶された前記処方データ履歴を更新するとともに、前記処方データ管理装置の前記主データベースに記憶された前記処方データ履歴も同様に更新して前記処方データ履歴を記録管理することを特徴とする（請求項１乃至３）。
【０００８】
上記課題を解決するため、本発明にかかる処方データ管理方法は、非接触ＩＣカードを備えるとともに患者に処方された薬の処方データ履歴を記憶する携帯通信端末と、この携帯通信端末と非接触ＩＣカードリードライト機能を用いて通信可能な処方データ送受信装置と、薬の処方データを発行する処方データ発行装置と、前記処方データや前記処方データ履歴を表示する処方データ表示装置と、患者別に前記処方データ履歴を記憶管理する主データベースを備えた処方データ管理装置と、これらを相互に接続するネットワークを備えた処方データ管理システムでの処方データ管理方法であって、処方データ作成の参照となる処方データ履歴を非接触ＩＣカードを用いて前記処方データ送受信装置を介して前記携帯通信端末から読み出して前記処方データ表示装置に表示させる処方データ履歴読出し工程と、前記処方データ発行装置によって処方データを作成発行する処方データ発行工程と、  発行した処方データを前記処方データ送受信装置を介して前記携帯通信端末に送信して前記処方データ履歴を更新する処方データ履歴更新工程と、前記ネットワークを介して前記処方データ管理装置と通信して前記主データベースに記憶された前記処方データ履歴を前記携帯通信端末のそれと一致するように更新する主データベース更新工程とを備えたことを特徴とする〈請求項５〉。
【０００９】
上記課題を解決するため、本発明にかかる薬局処方処理サーバ装置は、ネットワークに接続され相互に通信可能な非接触ＩＣカードを備えるとともに処方された薬の処方データ履歴を記憶する携帯通信端末と、患者別に前記処方データ履歴を記憶管理する主データベースを備えた処方データ管理装置と、薬局処方処理サーバ装置から構成される処方データ管理システムの薬局に設けられる薬局処方処理サーバ装置であって、前記携帯通信端末と非接触ＩＣカードへのリードライト動作を用いて通信し前記処方データ履歴を読み取り、処方データを送信して前記処方データ履歴を更新する非接触ＩＣカードリードライト手段を備えた処方データ送受信部と、処方データを発行する処方データ発行部と、前記非接触ＩＣカードリードライト機能を用いて前記携帯通信端末から、あるいはネットワークを介して前記処方データ管理装置から読み取った前記処方データ履歴および／または前記処方データ発行機能が発行した処方データを表示する処方データ表示部と、前記処方データ発行部が発行した前記処方データを含めて前記処方データ管理装置の前記主データベースに記憶されている患者の前記処方データ履歴を更新する処方データ履歴更新部とを備えたことを特徴とする〈請求項７〉。
【００１０】
上記課題を解決するため、本発明にかかるサーバ用プログラムは、薬局に設けられるコンピュータを、処方された薬の処方データ履歴を記憶する携帯通信端末の非接触ＩＣカードへのリードライト動作を用いて通信して前記処方データ履歴を読み取り、処方データを送信して前記処方データ履歴を更新する非接触ＩＣカードリードライト手段を備えた処方データ送受信部と、処方データを発行する処方データ発行部と、前記非接触ＩＣカードリードライト機能を用いて前記携帯通信端末から、あるいはネットワークを介して処方データ管理装置から読み取った前記処方データ履歴および／または前記処方データ発行部が発行した処方データを表示する処方データ表示部と、前記処方データ発行部が発行した前記処方データを含めて処方データ管理装置の主データベースに記憶されている患者の前記処方データ履歴を更新する処方データ履歴更新部として機能させることを特徴としている（請求項８）。
【００１１】
上記課題を解決するため、本発明にかかる処方データ管理プログラムは、非接触ＩＣカードを備えるとともに処方された薬の処方データ履歴を記憶する携帯通信端末と、患者別に前記処方データ履歴を記憶管理する主データベースを備えた処方データ管理装置と、薬局処方処理サーバ装置と、これらの端末装置を結ぶネットワークから構成される処方データ管理システムの処方データ管理プログラムであって、前記携帯通信端末と非接触ＩＣカードへのリードライト動作を用いて通信し前記処方データ履歴を読み取るとともに処方データを送信して前記処方データ履歴を更新する非接触ＩＣカードリードライトプログラムと、処方データを発行する処方データ発行プログラムと、前記非接触ＩＣカードリードライトプログラムを用いて読み取った前記処方データ履歴および／または前記処方データ発行機能が発行した処方データを表示手段に表示させる処方データ表示プログラムと、前記処方データ発行プログラムによって発行された前記処方データを含めて前記処方データ管理装置の前記主データベースに記憶されている患者の前記処方データ履歴を更新する処方データ履歴更新プログラムを前記薬局処方処理サーバ装置のコンピュータにに実行させることを特徴とする。
【発明の効果】
【００１２】
本発明は以上のように構成され機能するので、処方データ履歴を安全確実に管理するとともに、簡単に読み出すことができ、たとえ携帯通信端末を紛失した場合や持参忘れの場合でも処方データ履歴の再現が可能な処方データ管理システム、処方データ管理方法、サーバおよび処方管理プログラムを実現することができる。
【発明を実施するための最良の形態】
【００１３】
本発明の実施の形態の概要を説明すると、非接触ＩＣカード（例えばＦｅｌｉｃａ）機能を搭載したお薬手帳に記載する処方データを取得及び出力する携帯通信端末と、処方データを管理する処方データ管理装置と、お薬手帳に記載する処方データを発行する処方データ発行装置及び処方データを前記携帯通信端末に対して出力する処方データ送信装置を備えている。また、薬局、薬店で確認する場合は前記非接触ＩＣカード機能を搭載した携帯通信端末内のおくすり手帳に記載されている処方データを表示するための処方データ送信装置と薬暦を参照できる処方データ表示装置を備えている。
【００１４】
本実施の形態は、紙媒体であるお薬手帳を電子化し携帯電話、もしくは端末内で閲覧及びデータの蓄積を可能としたことを特徴としている。非接触ＩＣカード機能を搭載した携帯通信端末を用い、当該端末をＩＣカード認証対応のリーダ／ライタに近接させることにより、処方された薬の内容を取得するシステムを提供する。このようにして、本実施の形態では、多くの人が常に持ち歩いている携帯電話で閲覧、データの蓄積ができることで管理を容易にし、また、おくすり手帳を持ち合わせていない緊急時にも確認することができる。また、薬局、薬店で当該端末をＩＣカード認証対応のリーダ／ライタに近接させ、薬局、薬店のパソコンにデータを送ることによって薬剤師がパソコン上で簡単に利用者の薬暦を確認することもできる。
【００１５】
次に、発明を実施するための最良の形態について図面を参照して詳細に説明する。
図１は、本発明の処方データ管理システムの第１の実施形態の基本構成を示すブロック図である。
図１に示すように、本発明は携帯通信端末１０と、処方データ送受信装置２０と、処方データ管理装置３０と、処方データ発行装置４０と、処方データ表示装置５０と、これらの端末および各装置を結ぶネットワーク６０で構成されている。
【００１６】
携帯通信端末１０は、図示しない基地局を介してネットワーク６０に接続され通信を行う無線通信部１０１と、文字、記号や画像を表示する表示部１０２と、端末自身を操作するテンキー、スクロールキー、決定キーおよびファンクションキーからなる操作部１０３と、送話手段（マイクロフォン）と受話手段（スピーカ）およびこれらを経由する音声信号を変復調処理する音声信号処理部１０４と、非接触ＩＣカード（例えばＦｅｌｉｃａ）によるデータ入出力を行う非接触ＩＣカード部１０８と、撮像と撮像映像の記憶を行うカメラ部１０７と、電話帳情報、送受信メール情報、発着呼情報やコンテンツ、アプリケーションプログラム、携帯無線端末の諸設定を格納する記憶手段としての記憶部１０６と、電話機能、メール機能、インターネット（ｗｅｂ）接続機能、カメラ機能その他の端末の有する機能や各部の制御を行う制御部（ＣＰＵ）１０５とを備えている。また、通信を行うアンテナ、各構成要素の制御等を行う制御部等を構成する中央処理装置（ＣＰＵ）を備えている。
【００１７】
なお、携帯通信端末１０には、お薬手帳に記載するデータ、すなわち、今回の処方データを含む処方データ履歴を電子化させたものを一覧、蓄積するために必要な、ソフトウェア等が予めインストールされ、もしくは、ダウンロードできるものとする。ソフトウェア上では処方データ履歴一覧を確認することができ、また、利用者があらかじめ副作用が出るため処方して欲しくない薬などを自ら記入しておくことも可能である。
【００１８】
処方データ管理装置３０は、個人の処方データ履歴情報を記憶する記憶手段としての主データベース３０１を備え、個人の処方データ履歴情報を記憶し管理する情報処理サーバ装置である。
処方データ発行装置４０は、薬の処方データを携帯通信端末１０に送信するために電子化された処方データを発行する装置である。
また、処方データ表示装置５０は、処方データや処方データ履歴をディスプレイなどに表示する装置である。
【００１９】
処方データ送受信装置２０は、情報をやり取りする非接触ＩＣカードリードライト手段２０１を備えていて、携帯通信端末１０からデータを読み取ったり、携帯通信端末１０に対してデータを出力する装置である。また、処方データ送受信装置２０は、制御部２０２、記憶手段としての記憶部２０３を備えている。
さらに、ネットワーク６０は、携帯通信端末１０やこれらの各装置を繋ぎ相互の通信を可能にする。
【００２０】
図２は、本第１の実施形態での処理動作の流れを示すフローチャートである。第１の実施形態の動作をこのフローチャートに沿って説明する。
処方データ管理処理が開始されると、まず、患者である携帯通信端末１０の利用者の処方データ履歴を読み出して処方データ表示装置５０に表示する（ステップ１０１：処方データ履歴読出し工程）。
【００２１】
処方データ履歴は過去に患者に投薬された薬剤の種類や用法を投薬日時に沿って記述したものである。
処方データ履歴の読出しは、処方データ表示装置５０がネットワーク６０を介して処方データ管理装置３０から、あるいは非接触ＩＣカードリードライト手段２０１を用いて処方データ送受信装置２０が携帯通信端末１０から、患者識別情報とともに読み出しても良い。
【００２２】
保険薬局の薬剤師は、処方データ表示装置５０に表示された処方データ履歴を参照して処方を作成し、処方データ発行装置４０で処方データを発行する（ステップ１０２：処方データ発行工程）。
次に、発行した処方データを処方データ送受信装置２０に送り、この処方データを処方データ送受信装置２０が非接触ＩＣカードリードライト手段２０１を用いて携帯通信端末１０に送信する。携帯通信端末１０の制御部１０５は、受信した処方データを記憶部１０６に記憶されている処方データ履歴に加えて処方データ履歴を更新する（ステップ１０３：処方データ履歴更新工程）。
【００２３】
さらに、処方データ発行装置４０は発行した処方データをネットワーク６０を介して処方データ管理装置３０にも送って主データベース３０１の該当患者の処方データ履歴を携帯通信端末１０のそれと同様に更新する（ステップ１０４：主データベース更新工程）。
このような手順によって、処方データの発行と、処方データの更新が実現され、本実施形態での処理データ管理方法の諸動作が実行できる。
【００２４】
以上のように、患者に処方された薬の処方データ履歴を記憶するとともに、非接触ＩＣカードを搭載し、これを用いて薬の処方データを取得する携帯通信端末１０と、非接触ＩＣカードリードライト機能を備えた処方データ送受信装置２０と、処方データを発行する処方データ発行装置４０と、患者別に処方データ履歴を記憶管理する処方データ管理装置３０と、ネットワーク６０とを備え、処方データ発行装置４０が発行した処方データを処方データ送受信装置２０を介して携帯通信端末１０に送られるとともに、処方データ管理装置３０にも送られ処方データ履歴を更新して管理するように構成している。
【００２５】
これにより、比較的簡単に患者個人の処方データ履歴を再現できるとともに、紛失や持参忘れの虞が少なく、紛失した場合や持参忘れの場合でも処方データ履歴の再生が可能な処方データ管理システムの実現が可能になる。
また、本実施の形態によれば、各個人の処方投薬履歴を記録する処方データ管理システム、処方データ管理方法、サーバ用プログラム、処方データ管理プログラムおよび処方データ管理サーバを提供することが可能になる。
【００２６】
図３は、本発明の処方データ管理システムの第２の実施形態の基本構成を示すブロック図である。この実施形態が図１に示す第１の実施形態と異なる点は、保険薬局に設けられた薬局処方処理サーバ装置７０が、図１に示した第１の実施形態の処方データ送受信装置２０、処方データ発行装置４０、処方データ表示装置５０の機能をまとめて実行している点である。
【００２７】
すなわち、処方データ送受信部７０１が非接触ＩＣカードリードライト手段７０１１を備えて、携帯通信端末１０の非接触ＩＣカード部１０８と通信する機能を、処方データ発行部７０２が処方データを発行する機能を、処方データ表示部７０３が処方データや処方データ履歴をディスプレイなどに表示する機能を果たす。
【００２８】
なお、処方データ発行装置４０が行っていた処方データ管理装置３０の主データベース３０１の処方データ履歴更新は処方データ履歴更新部７０４が、ネットワーク６０を介しての通信の制御は通信部７０７が、サーバ装置７０自身の制御は制御部７０５が、処方データや処方データ履歴の一次記憶、アプリケーションプログラムなどの記憶は記憶手段としての記憶部７０６が実行する。
携帯通信端末１０、処方データ管理装置３０およびネットワーク６０には図１に示したものと同じものが用いられている。
【００２９】
この第２の実施形態の処理データ管理方法の処理動作の流れは図２に示したものと基本的に同じである。
ただ、処方データ管理装置３０からの処方データ履歴の読出しは通信部７０７が、処方データの発行は処方データ発行部７０２が、携帯通信端末１０との非接触ＩＣカード機能による通信は処方データ送受信部７０１の非接触ＩＣカードリードライト手段７０１１が、処方データ管理装置３０の処方データ履歴の更新は処方データ履歴更新部７０４がそれぞれ実行する点が異なっている。
【００３０】
薬局処方処理サーバ装置７０で行われる処理データ管理方法は以上に述べた通りであるが、以上の処理データ管理方法の各工程での実行内容をプログラム化してコンピュータに実行させるようにしても良い。このようにしても上述した方法で行った場合と同様に、処方データ履歴を安全確実に管理することができるとともに、容易に読み出して閲覧することができる。
【００３１】
図４は、本発明の処方データ管理システムの第３の実施形態の基本構成を示すブロック図である。
この実施形態が図１に示す第１の実施形態と異なる点は、携帯通信端末１０に、非接触ＩＣカードによるデータ入出力を行う非接触ＩＣカード部１０８がなく、その代わりに、カメラ部１０７が２次元コード（ＱＲコード）を撮影し、制御部１０５が撮影された２次元コードを読み取る機能を備えている点、処方データ表示装置５０に代えて、読み取った処方データ履歴を表示し、処方データ発行装置４０が発行した処方データ表示するとともに２次元コードにして印刷する処方データ出力装置９０が設けられている点、処方データ送受信装置２０に代えて、処方データ出力装置９０で印刷された２次元コードを携帯通信端末１０のカメラ部１０７で撮影しやすいように表示する２次元コード表示手段８０１を備えた処方データ送信装置８０が設けられている点である。
これ以外の処方データ管理装置３０、処方データ発行装置４０およびネットワーク６０は、図１に示した第１の実施形態のそれと同じものである。
【００３２】
図５は、この第３の実施形態図での処理動作の流れを示すフローチャートである。本実施形態の動作をこのフローチャートに沿って説明する。
処方データ管理処理が開始されると、まず、処方データ出力装置９０がネットワーク６０を介して処方データ管理装置３０から、患者である携帯通信端末１０の利用者の処方データ履歴を読み出して表示する（ステップ２０１：処方データ履歴読出し工程）。
【００３３】
保険薬局の薬剤師は、処方データ出力装置５０に表示された処方データ履歴を参照して処方を作成し、処方データ発行装置４０で処方データを発行する（ステップ２０２：処方データ発行工程）。
次に、発行した処方データを処方データ出力装置９０に送り、２次元コードに変換として印刷する（ステップ２０３：２次元コード化工程）。
【００３４】
次に、この２次元コードを処方データ送信装置８０の２次元コード表示手段８０１にセットして携帯通信端末１０のカメラ部１０７で撮像する。携帯通信端末１０の制御部１０５は、撮像した２次元コードを読み取って処方データを解読し、解読した処方データを記憶部１０６に記憶されている処方データ履歴に加えて処方データ履歴を更新する（ステップ２０４：処方データ履歴更新工程）。
【００３５】
さらに、処方データ発行装置４０は発行した処方データをネットワーク６０を介して処方データ管理装置３０にも送って主データベース３０１の該当患者の処方データ履歴を携帯通信端末１０のそれと同様に更新する（ステップ２０５主データベース更新工程）。
このような手順によって、処方データの発行と、処方データの更新が実現され、本第３の実施形態での処理データ管理方法の諸動作が実行できる。
【００３６】
本発明は上記した実施形態に限定されるものではなく、例えば以下のような種々の変形が可能である。
例えば、上記の携帯通信端末１０に個人を識別するためのＵＩＭ（Universal Identity Module）カードを挿入して用いるようにし、記録された処方データ履歴をＵＩＭカードに書き込まれた固有の識別データと対にして記録することで、当該端末に他のＵＩＭカードが挿入された場合は、表示できないようにしても良い。
【００３７】
携帯通信端末１０に記録される処方データは、当該情報が格納されているＵＲＬ情報とし、後で携帯通信端末１０の無線通信部１０１の機能により、当該情報をダウンロードするような形にしても良い。
また、パソコンにもアプリケーションソフトをあらかじめダウンロードしておき、パソコンにＵＲＬを送信したり、非接触ＩＣカード機能やＢｌｕｅｔｏｏｔｈ機能を搭載したパソコンなどと情報を交換することで、パソコン上の記録してある処方データ履歴情報とも簡単に同期するようにしても良い。
【産業上の利用可能性】
【００３８】
本発明は、患者個人の処方履歴をお薬手帳に変わって記録し、簡単に読み出すことができるようにしているので、医療分野で広範に利用できる可能性を有している。
【図面の簡単な説明】
【００３９】
【図１】本発明の処方データ管理システムの第１の実施形態の基本構成を示すブロック図である。
【図２】図１に示す実施形態の動作を示すフローチャートである。
【図３】本発明の処方データ管理システムの第２の実施形態の基本構成を示すブロック図である。
【図４】本発明の処方データ管理システムの第３の実施形態の基本構成を示すブロック図である。
【図５】図４に示す実施形態の動作を示すフローチャートである。
【符号の説明】
【００４０】
１０  携帯通信端末
２０  処方データ送受信装置
３０  処方データ管理装置
４０  処方データ発行装置
５０  処方データ表示装置
６０  ネットワーク
７０  薬局処方処理サーバ装置
８０  処方データ送信装置
９０  処方データ出力装置
【図１】
2009259004.tif 000003
【図２】
2009259004.tif 000004
【図３】
2009259004.tif 000005
【図４】
2009259004.tif 000006
【図５】
2009259004.tif 000007